(57)【要約】【課題】カレンダ機能において限られた表示スペースで効率よく情報を提供する。【解決手段】カレンダ画面４１は、日付画面４２とプレビュー画面４３を備えている。日付画面４２には日付の一覧が表示され、カーソル６１を日付上で移動することにより日付を指定することができる。プレビュー画面４３は、日付画面４２の下方に隣接して設けられており、文字情報を１件表示することができる。携帯電話１は、日付画面４２で祭日が選択されている場合には祭日の名称を、また、祭日にスケジュール内容が設定されている場合には、祭日の名称よりスケジュール内容を優先してプレビュー画面４３に表示する。スケジュール内容が複数件ある場合には、プレビュー画面４３に表示するスケジュール内容を所定時間ごとに切り替えることにより、全てのスケジュール内容を表示することができる。【選択図】図５
2009194545.tif 000002
【特許請求の範囲】
【請求項１】
日付の一覧を表示する日付一覧表示手段と、
日付に対応してユーザが設定したユーザ文字情報を記憶するユーザ文字情報記憶手段と、
前記表示した日付を選択する日付選択手段と、
前記選択した日付に対応づけられているユーザ文字情報を前記日付の一覧と同時に所定件数だけ表示する文字情報表示手段と、
を具備し、
前記文字情報表示手段は、前記ユーザ文字情報の件数が前記所定件数より多い場合には、所定時間ごとに表示するユーザ文字情報を切り替えて全てのユーザ文字情報を表示することを特徴とする携帯端末。
【請求項２】
前記ユーザ文字情報には番号が対応づけられて表示され、ユーザから番号が入力された場合、前記文字情報表示手段は、当該入力された番号が付与されているユーザ文字情報の詳細を表示することを特徴とする請求項１に記載の携帯端末。
【請求項３】
日付に対応して予め設定されているデフォルト文字情報を記憶するデフォルト文字情報記憶手段を具備し、
前記文字情報表示手段は、前記選択した日付に対応づけられているデフォルト文字情報を前記日付の一覧と同時に表示することを特徴とする請求項１、又は請求項２に記載の携帯端末。
【請求項４】
前記選択した日付に対応づけられているユーザ文字情報とデフォルト文字情報が存在する場合、前記文字情報表示手段は、前記ユーザ文字情報を優先的に表示することを特徴とする請求項１、請求項２、又は請求項３に記載の携帯端末。
【発明の詳細な説明】
【技術分野】
【０００１】
本発明は、携帯端末に関し、例えば、電話帳機能を有する携帯電話に関する。
【背景技術】
【０００２】
近年携帯電話の普及がめざましく、日常的に用いられるようになってきたが、これら携帯電話は、一般的にカレンダ機能を有している。
カレンダ機能とは、例えば、月ごとの日付の一覧をディスプレイに表示し、スケジュールなどを書き込むことができるものである。
このようなカレンダ機能に関する技術として次の特許文献１の「データ処理装置及び通知方法」がある。
【特許文献１】特開平６−１６１９６４号公報
【０００３】
この技術は、スケジュール機能を備えたカレンダにおいて、スケジュールの件数を日付欄に表示して確認できるようにするものである。
また、他の技術として次の特許文献２の「電子装置」がある。
【特許文献２】特開平１０−２１１９８号公報
【０００４】
この技術を用いると、例えば、図９に示したように、カレンダ画面４１上で日付を旗印のアイコン５１などで修飾してスケジュールの存在を知らせることができる。カーソル６１をアイコン５１が表示された日付に移動させて所定のキーを押下すると、スケジュール機能が起動してスケジュールが表示される。
また、近年では、カレンダ画面に隣接してカーソルを合わせた日のスケジュールの内容を表示できるプレビュー画面を表示するものも用いられている。
【発明の開示】
【発明が解決しようとする課題】
【０００５】
携帯端末の小型化が進展するに従って、ディスプレイの大きさも小さくなっていくが、この場合、プレビュー画面も小さくなるため、表示内容が制限されてしまうという問題があった。
【０００６】
そこで、本発明は、カレンダ機能において限られた表示スペースで効率よく情報を提供することを目的とする。
【課題を解決するための手段】
【０００７】
本発明は、前記目的を達成するために、請求項１に記載の発明では、日付の一覧を表示する日付一覧表示手段と、日付に対応してユーザが設定したユーザ文字情報を記憶するユーザ文字情報記憶手段と、前記表示した日付を選択する日付選択手段と、前記選択した日付に対応づけられているユーザ文字情報を前記日付の一覧と同時に所定件数だけ表示する文字情報表示手段と、を具備し、前記文字情報表示手段は、前記ユーザ文字情報の件数が前記所定件数より多い場合には、所定時間ごとに表示するユーザ文字情報を切り替えて全てのユーザ文字情報を表示することを特徴とする携帯端末を提供する。
請求項２に記載の発明では、前記ユーザ文字情報には番号が対応づけられて表示され、ユーザから番号が入力された場合、前記文字情報表示手段は、当該入力された番号が付与されているユーザ文字情報の詳細を表示することを特徴とする請求項１に記載の携帯端末を提供する。
請求項３に記載の発明では、日付に対応して予め設定されているデフォルト文字情報を記憶するデフォルト文字情報記憶手段を具備し、前記文字情報表示手段は、前記選択した日付に対応づけられているデフォルト文字情報を前記日付の一覧と同時に表示することを特徴とする請求項１、又は請求項２に記載の携帯端末を提供する。
請求項４に記載の発明では、前記選択した日付に対応づけられているユーザ文字情報とデフォルト文字情報が存在する場合、前記文字情報表示手段は、前記ユーザ文字情報を優先的に表示することを特徴とする請求項１、請求項２、又は請求項３に記載の携帯端末を提供する。
【発明の効果】
【０００８】
本発明によれば、プレビュー画面の表示内容を時間で切り替えることにより、限られた表示スペースで効率よく情報を提供することができる。
【発明を実施するための最良の形態】
【０００９】
（１）実施の形態の概要
図５（ａ）は、携帯電話１のディスプレイ４に表示されたカレンダ画面４１を表しており、カレンダ画面４１は、日付画面４２とプレビュー画面４３を備えている。
日付画面４２には日付の一覧が表示され、カーソル６１を日付上で移動することにより日付を指定することができる。
ユーザは、指定した日付に対応してスケジュール内容を設定して携帯電話に記憶させることができる。
【００１０】
プレビュー画面４３は、日付画面４２の下方に隣接して設けられており、文字情報を１件表示することができる。
携帯電話１は、日付画面４２で祭日が選択されている場合には祭日の名称を、また、祭日にスケジュール内容が設定されている場合には、祭日の名称よりスケジュール内容を優先してプレビュー画面４３に表示する。
【００１１】
また、携帯電話は、スケジュール内容が複数件ある場合には、プレビュー画面４３に表示するスケジュール内容を所定時間ごとに切り替えることにより、全てのスケジュール内容を表示することができる。
このように、本実施の携帯電話は、スケジュール内容が複数存在し、全てを表示できない場合には、そのれらのうちの何れかと件数を表示したり、あるいは、表示内容を切り替えて全てを表示したりする。
【００１２】
（２）実施の形態の詳細
本実施の形態では、携帯端末の一例として携帯電話を用いるが、これは、携帯端末を携帯電話に限定するものではなく、例えば、固定電話機や無線通信機など、カレンダ機能を有する携帯端末やその他の小型電子機器に広く適用できるものである。
【００１３】
図１は、本実施の形態に係る携帯電話１の外観の一例を示した図である。
携帯電話１は、携帯端末を構成しており、スピーカ３、ディスプレイ４、キー５、マイク６を備えている。
スピーカ３は、例えば、通話相手の音声や、録音されたメッセージの再生などを行う。
マイク６は、通話の際などにユーザの音声を電気信号に変換する。
ディスプレイ４は、液晶ディスプレイなどの表示デバイスを用いて構成されている。
ディスプレイ４には、例えば、カレンダ画面やその他の画面が表示される。
【００１４】
キー５は、カレンダ上のカーソルなどを移動させたり、カレンダ画面とスケジュール画面を切り替えたり、その他の特殊機能を発揮させたりなどするための機能キー１５と、スケジュールの編集などの際に使用する、文字や数字などを入力するための文字キー１６などから構成されている。
【００１５】
機能キー１５の各キーには、アプリケーションによって各種の機能が割り当てられるが、カレンダ機能の場合、上キー３１を押下すると、カーソルは日付上で上方に移動し、下キー３２を押下するとカーソルは下方に移動し、右キー３４、左キー３３を押下すると、それぞれカーソルは右左方向に移動する。
決定キー３５を押下すると、カレンダ画面がスケジュール画面に遷移し、カレンダ画面にてカーソルがおかれていた日付のスケジュールが表示される。
【００１６】
図２は、携帯電話１のハードウェア的な構成の一例を示した図である。
スピーカ３は、ＣＰＵ（Ｃｅｎｔｒａｌ  Ｐｒｏｃｅｓｓｉｎｇ  Ｕｎｉｔ）２からの制御を受けて、通話相手の音声など、各種音声を出力する。
ディスプレイ４は、ＣＰＵ２からの制御を受けて、着信履歴画面などの各種の画面を表示する。
【００１７】
キー５は、各キーの操作を受け付けてＣＰＵ２に当該操作を入力したり、その他のキーの入力を受け付けてＣＰＵ２に当該操作を入力する。
マイク６は、ユーザの通話音声などを電気変換し、これによる音声信号はデジタル化された後ＣＰＵ２に入力される。
【００１８】
ＲＦ回路７は、アンテナを備えており、図示しない基地局とＣＰＵ２を無線通信により接続する。
これにより、ＣＰＵ２は、基地局を介して相手先の端末を発呼したり、通話回線を確立して音声通信を行ったりすることができる。
【００１９】
ＲＯＭ８は、読み取り専用のメモリであり、ＣＰＵ２が携帯電話１で必要とされる機能を発揮するためのプログラムやパラメータなどが記憶されている。
ＲＡＭ９は、読み書きが可能なメモリであって、ＣＰＵ２が各種の情報処理を行う際のワーキングメモリを提供する。
バッテリ１７は、ＣＰＵ２やその他の機能部を駆動するための電力を提供する。
【００２０】
ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）１０は、読み書きが可能なメモリであって、バッテリ１７による電力供給がなくても記憶内容を保持することができる。
ＥＥＰＲＯＭ１０には、ＣＰＵ２にカレンダ機能を発揮させるためのカレンダプログラム１１を記憶するほか、カレンダ情報記憶部１２が形成されており、カレンダ情報記憶部１２には、更に、祭日の日付や名称などを記憶した祭日記憶部１３、ユーザが設定したスケジュールを記憶するスケジュール記憶部１４などが形成されている。
【００２１】
図３（ａ）は、祭日記憶部１３に記憶されている祭日データの論理的な構成を説明するための図である。
祭日データは、祭日の年月日、及び祭日名から構成されている。例えば、２００８年１月１４日は、「成人の日」となっている。
【００２２】
祭日名は、例えば、テキストデータにより構成されており、カレンダ画面に文字表示することができる。
祭日データは、デフォルトとして予めカレンダ機能に設定されている。
このように、携帯電話１は、日付に対応して予め設定されているデフォルト文字情報（ここでは、祭日の名称）を記憶するデフォルト文字情報記憶手段（祭日記憶部１３）を備えている。
【００２３】
図３（ｂ）は、スケジュール記憶部１４に記憶されているスケジュールデータの論理的な構成を説明するための図である。
スケジュールデータは、スケジュールが設定されている年月日、及びスケジュール内容から構成されている。スケジュール内容は、案件ごとに区分されている。
例えば、２００８年１月１４日には、「１０：３０  新宿南口待ち合わせ」、「１３：００  映画」なる２件のスケジュールが設定されている。
【００２４】
これらスケジュール内容は、例えば、テキストデータ（文字情報）により構成されており、カレンダ画面に文字表示することができる。
スケジュール内容は、ユーザが入力・編集することにより設定される。
このように、携帯電話１は、日付に対応してユーザが設定したユーザ文字情報（スケジュール内容）を記憶するユーザ文字情報記憶手段（スケジュール記憶部１４）を備えている。
【００２５】
図４は、カレンダ機能を説明するための図である。
図に示した構成要素のうち、カレンダ情報記憶部１２以外のものは、カレンダプログラム１１をＣＰＵ２で実行して構成されたものである。
入力部２１は、機能キー１５や文字キー１６からの入力を受け付けて制御部２２に伝達する。
【００２６】
制御部２２は、スケジュール編集部２３とスケジュール表示制御部２４を備えている。
スケジュール編集部２３は、入力部２１からのキー操作を受けて、スケジュール内容の作成・編集を行い、スケジュール書込部２６に、当該スケジュール内容をスケジュール記憶部１４に書き込ませる。
【００２７】
スケジュール表示制御部２４は、カレンダ画面やスケジュール画面を表示するための画面データを生成する。
カレンダ画面を表示する場合、スケジュール表示制御部２４は、祭日記憶部１３から祭日の名称を読み出すと共に、スケジュール読出部２７を用いてスケジュール記憶部１４からスケジュール内容を読み出す。
【００２８】
そして、スケジュール表示制御部２４は、日付の一覧表示と共に、スケジュールが設定されている日付にはスケジュールの存在を知らせるアイコンを表示し、また、プレビュー画面に、スケジュールや祭日名称などを表示する。
表示部２５は、スケジュール表示制御部２４が生成した画面データを用いてディスプレイ４にカレンダ画面やスケジュール画面などを表示させる。
【００２９】
図５の各図は、カレンダ画面４１の一例を示した図である。
図５（ａ）は、２００８年１月１４日にスケジュールが設定されていない場合のカレンダ画面４１の一例を示した図である。
カレンダ画面４１は、日付画面４２と、日付画面４２の下方に隣接するプレビュー画面４３との複合画面から構成されている。
【００３０】
日付画面４２では、日付が１週単位で方形に配列されると共に、日祭日は、例えば、赤色に表示するなど、他の日付とは表示状態を変化させてある。図５（ａ）では、日祭日を太文字にて表してある。
日付画面４２において、スケジュールが設定されている日付には、旗印のアイコン５１が表示され、スケジュールの設定されている日付が一目にて認識できるようになっている。
【００３１】
また、日付上には、上キー３１、下キー３２、左キー３３、右キー３４などで日付単位で移動するカーソル６１が表示されており、ユーザがキー操作で日付を選択できるようになっている。
ここで、日付画面４２は、日付の一覧を表示する日付一覧表示手段として機能している。
【００３２】
プレビュー画面４３は、カーソル６１が設定されている日付のスケジュールを簡易的に表示する画面であり、当該日付が祭日でスケジュールが設定されていない場合には祭日の名称を表示し、スケジュールが設定されている場合には、祭日の名称よりもスケジュール内容を優先して表示する。
【００３３】
そして、スケジュールが複数件存在する場合には、最先のスケジュールとスケジュールの合計件数を表示する。
このように、携帯電話１は、日付画面４２に表示した日付をカーソル６１で選択する日付選択手段と、当該選択した日付に対応づけられているユーザ文字情報を当該日付の一覧と同時に所定件数（ここでは１件）だけ表示する文字情報表示手段を備えている。
図５（ａ）の場合には、カーソル６１が２００８年１月１４日に設定されており、スケジュールが設定されていないため、祭日名称の「成人の日」が表示されている。
【００３４】
図５（ｂ）は、２００８年１月１４日に１件だけスケジュールが設定されている場合を示している。
プレビュー画面４３には、カーソル６１が設定されている１月１４日のスケジュール内容である「１０：３０  新宿南口待ち合わせ」が表示されている。
このように、祭日にスケジュールが設定されている場合には、祭日名称に優先してスケジュール内容が表示される。
このため、ユーザは、スケジュール画面を起動せずともスケジュールの内容を確認することができる。
【００３５】
図５（ｃ）は、２００８年１月１４日に２件のスケジュールが設定されている場合を示している。
１月１４日のスケジュールとして「１０：３０  新宿南口待ち合わせ」、「１３：００  映画」が設定されているものとする。
プレビュー画面４３には、カーソル６１が設定されている１月１４日の最先のスケジュール内容である「１０：３０  新宿南口待ち合わせ」が表示されると共に、スケジュールの合計件数である「２件」なる表示がなされる。
【００３６】
また、所定のキーを押下すると、プレビュー画面４３に、複数のスケジュール内容を順次表示するように構成することもできる。
この場合、所定のキーを押下すると次のスケジュールの内容である「１３：００  映画」が表示される。
このように、ユーザは、スケジュール画面を起動せずともスケジュールの内容と件数を確認することができる。
【００３７】
図５（ｄ）は、２００８年１月１０日にカーソル６１を設定した場合を示している。
プレビュー画面４３には、「１０：００  会議  ２件」と表示され、１０時から会議があり、この他に１件のスケジュールがあることが分かる。
このようにして、ユーザは、アイコン５１により１月１０日にスケジュールが設定されていることを認識し、カーソル６１を１月１０日に移動すると、プレビュー画面４３にてその内容を確認することができる。
【００３８】
図６は、携帯電話１がカレンダ表示処理を行う手順を説明するためのフローチャートである。
この処理は、ＣＰＵ２がカレンダプログラム１１に従って行うものである。
まず、携帯電話１は、カレンダ画面４１を表示した後、日付画面４２でカーソル６１の位置を取得し、カーソル６１がどの日付に設定されているのかを特定する（ステップ５）。
【００３９】
次に、携帯電話１は、スケジュール記憶部１４にアクセスして当該特定した日付に対してスケジュールが複数設定されているか否かを判断する（ステップ１０）。
スケジュールが複数設定されている場合（ステップ１０；Ｙ）、携帯電話１は、最先のスケジュールと合計件数をプレビュー画面４３に表示する（ステップ１５）。
【００４０】
次に、携帯電話１はカーソル６１が移動したか否かを判断し（ステップ２０）、カーソル６１が移動した場合には（ステップ２０；Ｙ）、ステップ５に戻る。
一方、カーソル６１が移動せず、ユーザが何らかのキー操作を行った場合には（ステップ２０；Ｎ）、携帯電話１は別処理に移行する。
【００４１】
一方、ステップ１０において、スケジュールの件数が複数でなかった場合（ステップ１０；Ｎ）、携帯電話１は、更にスケジュールが１件か否かを判断する（ステップ２５）。
スケジュールが１件であった場合（ステップ２５；Ｙ）、携帯電話１は、当該スケジュールの内容をプレビュー画面４３に表示し（ステップ３０）、ステップ２０に移行する。
【００４２】
ステップ２５において、スケジュールが１件でなかった場合（ステップ２５；Ｎ）、携帯電話１は、祭日記憶部１３にアクセスして、その日が祭日か否かを判断する（ステップ３５）。
その日が祭日であった場合（ステップ３５；Ｙ）、携帯電話１は、当該祭日の名称をプレビュー画面４３に表示し（ステップ４０）、ステップ２０に移行する。
その日が祭日でなかった場合（ステップ３５；Ｎ）、携帯電話１は、プレビュー画面４３に特に何も表示することなく（ステップ４５）、ステップ２０に移行する。
【００４３】
以上に説明した本実施の形態により次のような効果を得ることができる。
（１）日付画面４２と共にプレビュー画面４３にて事前に登録されている祭日の名称を表示することができる。
（２）日付画面４２と共にプレビュー画面４３にてユーザが設定したスケジュールの内容を表示することができる。
（３）ユーザが祭日にスケジュールを設定している場合には、プレビュー画面４３にスケジュールの内容を優先的に表示することができる。
（４）ユーザのスケジュールを祭日の名称に優先して表示することにより、プレビュー画面４３を効果的に利用することができ、かつ、スケジュールの内容を的確にユーザに伝えることができる。
（５）スケジュールが複数件有り、プレビュー画面４３に全てを表示できない場合には、スケジュールの件数を表示することで、表示されている内容以外にスケジュールがあることをユーザに知らせることができ、予定の見落としを防止することができる。
【００４４】
（変形例）
図７（ａ）は、本変形例に係るカレンダ画面４１の一例を示した図である。
日付画面４２の構成は、先に説明した実施の形態と同様である。
本変形例に係る携帯電話１は、スケジュールが複数件存在する場合、プレビュー画面４３に表示するスケジュールの内容を所定時間ごと（例えば、１秒ごと）に切り替えて、全てのスケジュール内容を表示する。
【００４５】
図７（ｂ）は、表示切り替えの一例を示した図である。
スケジュール記憶部１４の２００８年１月１４日に、「１０：３０  新宿南口待ち合わせ」、「１３：００  映画」、「１７：００  発表会の打ち合わせ」、「２０：００  懇親会」なるスケジュール内容が記憶されている場合、携帯電話１は、図に示したように、プレビュー画面４３の表示内容を１秒おきに、「１０：３０  新宿南口待ち合わせ」→「１３：００  映画」→「１７：００  発表会の打ち合わせ」→「２０：００  懇親会」→「成人の日」→「１０：３０  新宿南口待ち合わせ」→・・・の順に循環的に切り替える。
【００４６】
また、切り替え表示の際には、スケジュール内容を優先し、祭日の名称を表示しないように構成する場合には、図７（ｃ）に示したように、「１０：３０  新宿南口待ち合わせ」→「１３：００  映画」→「１７：００  発表会の打ち合わせ」→「２０：００  懇親会」→「１０：３０  新宿南口待ち合わせ」→・・・の順に循環的に切り替え表示するように構成することもできる。
【００４７】
このように、スケジュールの件数がプレビュー画面４３の表示件数（本変形例では１件）より多い場合でも、時間によって表示するスケジュール内容を切り替えることにより全てのスケジュールの内容をプレビュー画面４３で表示することができる。
このため、プレビュー画面４３の限られた表示領域で効率的にスケジュール内容の表示を行うことができる。
【００４８】
このように、本変形例では、ユーザ文字情報（スケジュール内容）の件数が所定件数（ここでは１件）より多い場合には、所定時間（例えば、１秒）ごとに表示するユーザ文字情報を切り替えて全てのユーザ文字情報を表示する。
【００４９】
（変形例２）
本変形例は、変形例１と同様にスケジュール内容の表示を時間で切り替えると共に、スケジュール内容の詳細内容も表示できるものである。
スケジュール記憶部１４では、スケジュール内容に、更に詳細内容を対応づけて記憶できるようになっている。
例えば、「１３：００  映画」なるスケジュール内容に対し、「題名「名犬物語」○○映画館指定席券購入済み」なる詳細内容をユーザが設定することができる。
【００５０】
図８（ａ）は、本変形例に係るカレンダ画面４１の一例を示した図である。
日付画面４２の構成は、先に説明した実施の形態と同様である。
本変形例に係る携帯電話１は、スケジュールが複数件存在する場合、変形例１と同様にプレビュー画面４３に表示するスケジュールの内容を所定時間ごと（例えば、１秒ごと）に切り替えて、全てのスケジュール内容を表示する。
【００５１】
携帯電話１は、プレビュー画面４３にスケジュール内容を表示する際に、表示の先頭に当該スケジュール内容に対して、スケジュール設定時刻の若い順に設定した番号を表示する。
例えば、図の例では、「１３：００  映画」のスケジュール内容が１月１４日の２番目のスケジュールであり、プレビュー画面４３に「Ｎｏ２  １３：００  映画」と表示されている。
【００５２】
そして、ユーザが文字キー１６で、スケジュール内容に対応して表示された番号のキーを押下すると、カレンダ画面４１から詳細画面４４に画面表示が切り替わり、当該スケジュール内容に対して設定されている詳細内容が表示される。
図８（ｂ）では、スケジュール内容「１３：００  映画」に対して設定されている詳細内容「題名「名犬物語」○○映画館指定席券購入済み」が表示される。
【００５３】
このように、本変形例では、ユーザ文字情報（スケジュール内容）には番号が対応づけられて表示され、ユーザから番号が入力された場合、当該入力された番号が付与されているユーザ文字情報の詳細が表示される。
【００５４】
これによって、例えば、循環的にスケジュール内容が表示されるのを観察し、表示されたスケジュール内容の詳細を見たくなった場合、例えプレビュー画面４３の表示が他のスケジュール内容に切り替わったとしても、見たいスケジュール内容の番号を入力することにより詳細を確認することができる。
【図面の簡単な説明】
【００５５】
【図１】本実施の形態に係る携帯電話の外観の一例を示した図である。
【図２】携帯電話のハードウェア的な構成の一例を示した図である。
【図３】祭日データやスケジュールデータを説明するための図である。
【図４】カレンダ機能を説明するための図である。
【図５】カレンダ画面の一例を示した図である。
【図６】カレンダ表示処理の手順を説明するためのフローチャートである。
【図７】変形例を説明するための図である。
【図８】変形例２を説明するための図である。
【図９】従来例を説明するための図である。
【符号の説明】
【００５６】
１  携帯電話
３  スピーカ
４  ディスプレイ
５  キー
６  マイク
１５  機能キー
１６  文字キー
３１  上キー
３２  下キー
３３  左キー
３４  右キー
３５  決定キー
【図１】
2009194545.tif 000003
【図２】
2009194545.tif 000004
【図３】
2009194545.tif 000005
【図４】
2009194545.tif 000006
【図５】
2009194545.tif 000007
【図６】
2009194545.tif 000008
【図７】
2009194545.tif 000009
【図８】
2009194545.tif 000010
【図９】
2009194545.tif 000011